(57)【要約】本発明は重力の差を利用した発電動力の発生装置に関する。さらに詳しくは、駆動体の内部に上下に流動される重錘を水密に装着して、重錘が下降されて開口部を塞ぐ時には流入管から液体が流入されて重量を与え、このような複数の駆動体が下降して逆方向に上昇する時、流入口は重錘によって遮断され、空室内には重錘によって液体がホースの中に押し上げられながら、重量が減少されることによって発生される重力の差によって発電動力が発生することができる。産業社会が高度化されるにつれて、エネルギー需給問題は重要な意味を有している。従って、自然エネルギーを開発するために世界的な関心が集中され、このような条件の下で重力と浮力を利用した発電動力の発生装置が色々開発されているが、これらは施設費用と運営費用に経済性がなくて実用化されることができない実情である。本発明は以上の問題点を解決するために発明されたもので、本発明の要旨は上部に設置された駆動チェーンギアと下部に設置された空回転チェーンギアとの間にはチェーンが連結され、このチェーンには所定間隔に複数の駆動体を連結し、その外側には循環ホースを設置し、流入管は前記駆動体の上部に形成された注入口に連結されることによって、これを実施する時最上端に設置された駆動体はこの空室内に嵌合された重錘が下降して底面に形成された開口部を遮断して密閉された空室を形成し、この時、循環ホースと連結された流入口には液体が流入されて、前記密閉空室に充填されることによって重力が発生し、この重力が回転動力となる。そして、前記最上端に設置された駆動体に液体が充填されると液体の重量によって漸次に下降されながら複数の合算された重量が発電動力を生産し、最下端に設置された駆動体が逆方向に回転されて上昇する時には重錘が移動して前記液体流入口を遮断するので、この時には循環ホースの中に液体供給が中断された状態になり、このように液体がない状態で続いて上昇された駆動体が最上部から再び下降する時には、重錘が移動して空室内に開口部を塞ぐことによって水密された空室を形成して、この流入口を通じて液体が流入されることによって発電動力を生産する。このような作動が繰り返されることによって発電動力が発生し、駆動過程で液体が消耗されると、流入管に連結された補助液体袋で高圧液体がセンサーバルブの作動によって吐出されながら欠損された液体を自動に補うことができるようにする。
2013505389.tif 000002
【特許請求の範囲】
【請求項１】
上部軸間（１１）には駆動チェーンギア（１２）及び変速ホイール（１３）が設置され、下部軸間（１１）には空回転チェーンギア（１２）が設置されてチェーン（５）で連動され、このチェーン（５）には所定間隔に複数の駆動体（１）が締結され、この駆動体（１）の上部に形成された流入口（１ｃ）には前記チェーン（５）の対向側に設置された循環ホース（３）に形成された流入管（３ａ）が連結され、駆動体（１）の下部には開口部（１ｂ）を形成して駆動体（１）の空室（１ｅ）内に嵌合された重錘（２）によって開閉されることができるようにすることを特徴とする重力の差を利用した発電動力の発生装置。
【発明の詳細な説明】
【技術分野】
【０００１】
本発明は重力の差を利用した発電動力の発生装置に関する。さらに詳しくは、駆動体の内部に上下に流動される重錘を水密に装着して重錘が下降されて開口部を阻む時には流入管から液体が流入されて重量を与え、このような複数の駆動体が下降して逆方向に上昇する時は流入口は重錘によって遮断されて空室内には重錘によって液体がホースの中に押し上げられながら、重量が減少されることによって発生する重力の差によって発電動力が発生することができる。
【背景技術】
【０００２】
産業社会が高度化されるにつれてエネルギー需給問題は重要な意味を有している。従って、自然エネルギーを開発するために全世界の関心が集中されており、このような条件の下で重力と浮力を利用した発電動力の発生装置が色々開発されているが、これらは施設費用と運営費用に経済性がなくて実用化されることができない実情である。
【発明の概要】
【発明が解決しようとする課題】
【０００３】
本発明は以上の問題点を解決するために創出されたもので、本発明の要旨は、上部に設置された駆動チェーンギアと下部に設置された空回転チェーンギアとの間にはチェーンが連結され、このチェーンには所定間隔に複数の駆動体を連結し、その外側には循環ホースを設置し、流入管は前記駆動体の上部に形成された注入口に連結されることによって、これを実施する際に最上端に設置された駆動体はこの空室内に嵌合された重錘が下降して底面に形成された開口部を遮断して密閉された空室を形成し、この時、循環ホースと連結された流入口には液体が流入されて、前記密閉空室に充填されることによって重力が発生され、この重力が回転動力になる。そして、前記最上端に設置された駆動体に液体が充填されると液体の重量によって漸次に下降されながら複数の合算された重量が発電動力を生産し、最下端に設置された駆動体が逆方向に回転されて上昇する時には、重錘が移動して前記液体流入口を遮断するので、この時には重錘によって液体がホースの中に押し上げられながら、循環ホースの中に液体供給が中断された状態になり、このように、液体がない状態で、続いて上昇された駆動体が最上部から再び下降する時には、重錘が移動して空室内に開口部を塞ぐことによって水密された空室を形成してこの流入口を通じて液体が流入されることによって発電動力を生産する。
【０００４】
このような作動が繰り返されることによって発電動力が発生され、駆動過程で液体が消耗されると、この時には流入管に連結された補助液体袋で高圧液体がセンサーバルブの作動によって吐出されながら欠損された液体を自動に補うことができるようにする。
【課題を解決するための手段】
【０００５】
上部軸間には駆動チェーンギアが設置され、下部軸間には空回転チェーンギアが設置され、その間に連結されたチェーンには所定間隔に複数の駆動体が設置され、この駆動体の上側には循環ホースと連結された流入管が設置され、この流入管は前記駆動体の空室上部に連結され、空室内には上下に流動されるように装入された重錘が下降する際には駆動体の下部に形成された開口部を遮蔽して密閉された空室が形成されることができるもので、これを実施する時は循環ホースに液体が満たされると下向きに移動される複数の駆動体には流入管を通じて液体が満たされて重力が発生され、反対に上向きに移動される重錘によって液体がホースの中に押し上がりながら、駆動体には重錘が下降されて流入口を遮蔽するので空室になりながら重量がなくなる。
【０００６】
このように下降される駆動体と上昇する駆動体との重量の差によって回転動力が発生され、この時、最上端部と最下端部に設置された駆動体には水平上に位置されて、重量のない空室状態であるが、その上端部においてはその前方には重錘によって開口部が遮断され、この時発生する空室内には液体が流入され、反対に最下端部に設置された駆動体は流入口が重錘によって遮断されるので、空室内には重量が減少される現象が発生される。従って、駆動力を回動させることは、最上端部に形成された駆動体の空室内に液体が投入され、最下端部の空室内には液体がなくなるなどの重量の差によって回転動力が発生することができるようにしたので、回転動力を高めようとする時には駆動体の空室を大きくするか数を増加させれば良い。そして、駆動過程で液体が消耗されると補助液体袋内に装入された高圧水がセンサーバルブの作動によって補うことができる。
【発明の効果】
【０００７】
上記のように、本発明は上下チェーンギアの間に連結されたチェーンと循環ホースの間に所定間隔に複数の駆動体を設置して下降運動するようにし、下降する複数の駆動体には重力が発生し、上昇運動する複数の駆動体には空室内に液体がなくなることによって減少される重量の差によって回転動力を得ることができるようにしたので、設置が簡単であり、且つメンテナンス費用低下するので経済性が優れている。
【図面の簡単な説明】
【０００８】
【図１】本発明の装置概要図である。
【図２】図２Ａは重錘が開口部を遮断した時を示し、図２Ｂは重錘が流入管を遮断した時を示す。
【図３】本発明の実施例図である。
【発明を実施するための形態】
【０００９】
図１は本発明の装置概要図であり、図２Ａは重錘が開口部を遮断した時を示し、図２Ｂは重錘が流入管を遮断した時を示す。図３は本発明の実試例図である。
【００１０】
左右支持台１０の支柱間１０ａの間に形成された軸１１には複数の駆動体１が設置され、駆動体１の上部軸間１１には駆動チェーンギア１２が設置され、この駆動チェーンギア１２にはチェーン５が連結され、このチェーン５には所定間隔に複数の駆動体１が連結されてこのチェーン５の対向側には循環ホース３を設置して、これに連結された流入管３ａを駆動体１の上部に形成された流入口１ｃに連結され、前記駆動体１の下部には開口部１ｂを形成して重錘２によって遮蔽されることができるようにする。そして、重錘２の上下周面にはパッキング２ａが嵌合され、上下面には緩衝具２ｂが形成される。また、循環ホース３と連結された流入管３ａにはセンサーバルブ４ａを介在した補助液体袋４が設置される。前記変速ホイール１３と発電機１５との間にはベルト１４と連結される。
【００１１】
以上のように構成された本発明を実施する際には、循環ホース３内に液体を満たした状態で、作動スィッチを押すと下降状態である複数の駆動体１内には重錘２が下降されて開口部１ｂを遮蔽しながら密閉された空室１ｅを形成することによって、この空室に１ｅは液体が満たされて合算された重量を形成し、反対に、チェーン５によって上向きされる複数の駆動体１には重錘２によって循環ホース３と連結された流入管３ａが遮断されることによって、空室１ｅ内には液体のない状態になるので全体的な液体の重量はない状態になるので、前記空室１ｅ内に水の重量が回転動力を発生する。そして、空室内に空気が発生した時はエアーピンが作動しながら空気が排出される。
【００１２】
従って、駆動体１を大きくするかその数を増加させるとたくさんの回転動力を得ることができる。そして、本発明において、液体は水を基準にし、重錘２は鉄を基準にしたので、比重の差は約４：１に設定しているが、ここに限定されず、液体の重量を増加させればさらに強い回転動力を得ることができる。
【符号の説明】
【００１３】
１    駆動体
１ａ  係止部  
１ｂ  開口部
１ｄ  空室  
１ｃ  流入口  
１ｅ  エアーピン
２    重錘  
２ａ  パッキング  
２ｂ  緩衝具
３    循環ホース  
３ａ  流入管  
３ｂ  締結具
４    補助液体袋  
４ａ  センサーバルブ  
５    チェーン
１０    支持台  
１０ａ  支柱間  
１１    軸
１２    チェーンギア  
１３    変速ホイール  
１４    ベルト
１５    発電機
【図１】
2013505389.tif 000003
【図２（Ａ）】
2013505389.tif 000004
【図２（Ｂ）】
2013505389.tif 000005
【図３】
2013505389.tif 000006
【国際調査報告】
2013505389.tif 000007
2013505389.tif 000008
2013505389.tif 000009
2013505389.tif 000010